(57)【要約】多種の多重接続アクセス様態が支持される方法、システム及び無線フレーム構造である。前記システムは、基地局と端末とを含み、同一のアドレスにおいて１つのグループの基地局があり、同じグループの基地局において、同期、同帯域、且つ、異なる上行或いは下行多重接続技術が支持される基地局を少なくとも２つ含む。前記同じグループにおける各基地局のそれぞれは、ネゴシエーションされた下行エリアに下行フレームの発信を行い、ネゴシエーションされた上行エリアに上行フレームの受信を行い、且つ、各エリアは互いに重なっていない。前記端末は、自身の支持する下行多重接続技術に従い、これらのうちの１つの基地局にアクセスして、当該基地局のために割当られた下行エリア或いは上行エリアにおいて受信或いは発信を行う。
2010524307.tif 000002
【特許請求の範囲】
【請求項１】
基地局と端末とを含んだ多種の多重接続アクセス様態が支持されるシステムであって、同一のアドレスにおいて１つのグループの基地局が設置され、同じグループの基地局において、同期、同周波数帯、且つ、上行或いは下行に、異なる多重接続技術が支持される基地局を少なくとも２つ含む、その中で、
前記同じグループにおける各基地局は、それぞれに、システム下行フレームにおけるそれぞれの下行エリアに下行信号の発信を行い、それぞれに、システム上行フレームにおけるそれぞれの上行エリアに上行信号の受信を行うに利用され、異なる基地局の上行と下行エリアは時間分割され且つ互いに重なっておらず、
前記端末は、自身の支持する下行多重接続技術に従い、これらのうちの１つの基地局にアクセスして、当該基地局のために割当られた下行エリアと上行エリアにおいて受信と発信を行うに利用されることを特徴とする基地局と端末とを含んだ多種の多重接続アクセス様態が支持されるシステム。
【請求項２】
前記同じグループの基地局はＧＰＳにより同期され、或いは同期ラインにより同期が実現されることを特徴とする請求項１に記載のシステム。
【請求項３】
前記同じグループにおける各基地局の下行エリアと上行エリアはネゴシエーションにより確定され、前記同じグループの基地局は共同インターフェースにより前記ネゴシエーションを実現し、或いは、総括制御モジュールを設置し、当該総括制御モジュールのスケジューリングにより前記ネゴシエーションを実現することを特徴とする請求項１に記載のシステム。
【請求項４】
前記同じグループの基地局は２つの基地局を含み、その第１基地局と第２基地局の支持する上行多重接続技術が異なり、支持する下行多重接続技術が同じ或いは異なることを特徴とする請求項１に記載のシステム。
【請求項５】
一つの無線フレームにおいて区画されたエリアは、順番によって、第１基地局が下行信号を送信するための第１下行エリアと、第２基地局が下行信号を送信するための第２下行エリアと、端末が第１基地局へ上行信号を送信するための第１上行エリアと、端末が第２基地局へ上行信号を送信するための第２上行エリアであり、
或いは、第１基地局が下行信号を送信するための第１下行エリアと、第２基地局が下行信号を送信するための第２下行エリアと、端末が第２基地局へ上行信号を送信するための第１上行エリアと、端末が第１基地局へ上行信号を送信するための第２上行エリアであることを特徴ととする請求項４に記載のシステム。
【請求項６】
多種の多重接続アクセス様態が支持される方法であって、
（ａ）同一のアドレスにおいて１つのグループの基地局が設置され、同じグループの基地局において、同期、同周波数帯、且つ、上行或いは下行に、異なる多重接続技術が支持される基地局を少なくとも２つ含み、
（ｂ）前記同じグループにおける各基地局は、それぞれに、システム下行フレームにおけるそれぞれの下行エリアで下行信号の発信を行い、それぞれに、システム上行フレームにおけるそれぞれの上行エリアで上行信号の受信を行い、異なる基地局の上行と下行エリアは時間分割され且つ互いに重なっておらず、
（ｃ）前記端末は、自身の支持する下行多重接続技術に従い、これらのうちの１つの基地局にアクセスして、当該基地局のために割当られた下行エリアと上行エリアにおいて受信と発信を行うステップを含むことを特徴とする方法。
【請求項７】
前記同じグループの基地局はＧＰＳにより同期され、或いは同期ラインにより同期が実現されることを特徴とする請求項６に記載の方法。
【請求項８】
前記同じグループにおける各基地局の下行エリアと上行エリアはネゴシエーションにより確定され、前記同じグループの基地局は共同インターフェースにより前記ネゴシエーションを実現し、或いは、総括制御モジュールを設置し、当該総括制御モジュールのスケジューリングにより前記ネゴシエーションを実現することを特徴とする請求項６に記載の方法。
【請求項９】
前記同じグループの基地局は２つの基地局を含み、その第１基地局と第２基地局の支持する上行多重接続技術が異なり、支持する下行多重接続技術が同じ或いは異なることを特徴とする請求項６に記載の方法。
【請求項１０】
一つの無線フレームにおいて区画されたエリアは、順番によって、第１基地局が下行信号を送信するための第１下行エリアと、第２基地局が下行信号を送信するための第２下行エリアと、端末が第１基地局へ上行信号を送信するための第１上行エリアと、端末が第２基地局へ上行信号を送信するための第２上行エリアであり、
或いは、第１基地局が下行信号を送信するための第１下行エリアと、第２基地局が下行信号を送信するための第２下行エリアと、端末が第２基地局へ上行信号を送信するための第１上行エリアと、端末が第１基地局へ上行信号を送信するための第２上行エリアであることを特徴とする請求項９に記載の方法。
【請求項１１】
上行フレームと下行フレームを含む、多種の多重接続アクセス様態が支持される無線フレーム構造であって、
前記上行フレームは、時間分割様態によりＮ個の上行多重接続エリアに分割され、前記下行フレームは、時間分割様態により対応なＮ個の下行多重接続エリアに分割され、上行多重接続エリア毎と対応な一つ下行多重接続エリアは、同一基地局に使用されることを特徴とする無線フレーム構造。
【請求項１２】
前記無線フレームが２つの上行多重接続エリアと２つの下行多重接続エリアに分割され、当該無線フレームにおいて区画されたエリアは、順番によって、第１基地局が下行信号を送信するための第１下行エリアと、第２基地局が下行信号を送信するための第２下行エリアと、端末が第１基地局へ上行信号を送信するための第１上行エリアと、端末が第２基地局へ上行信号を送信するための第２上行エリアであり、
或いは、第１基地局が下行信号を送信するための第１下行エリアと、第２基地局が下行信号を送信するための第２下行エリアと、端末が第２基地局へ上行信号を送信するための第１上行エリアと、端末が第１基地局へ上行信号を送信するための第２上行エリアであることを特徴とする請求項１１に記載の無線フレーム構造。
【発明の詳細な説明】
【技術分野】
【０００１】
本発明は、無線通信分野に関し、特に、無線通信システムにおいて多種の多重接続アクセス様態が同時に支持可能な方法、システム及び無線フレーム構造に関する。
【背景技術】
【０００２】
無線通信システムにおいて、多種の多重接続技術、例えば符号分割多重接続（ＣＤＭＡ）や、周波数分割多重接続（ＦＤＭＡ）、時間分割多重接続（ＴＤＭＡ）等が存在する。無線通信技術の発展に従い、空間分割多重接続（ＳＤＭＡ）と直交周波数分割多重接続（ＯＦＤＭＡ）等を含む新たな多重接続技術が次々と開発されている。
【０００３】
これらの多重接続技術にはそれぞれの長所があり、ＦＤＭＡ技術では、システムの全ての帯域幅を、重なっていない幾つのサブ周波数帯に分割し、サブ周波数帯毎をユーザ毎に割り当て、ＴＤＭＡ技術では、チャンネル毎を幾つかのタイムスロットに分割し、タイムスロット毎をユーザ毎に割り当て、ＣＤＭＡ技術では、優れた自己相関及び相互相関特性を有する１つのシュードランダムコード（pseudo-random sequence）をユーザ毎に割り当て、そして、複数のユーザが同一の帯域幅に信号を同時に送信することができる。ＴＤＭＡとＣＤＭＡでは、一般的には、それらの周波数帯をＦＤＭＡによって小さい周波数帯に分割してから、時間分割或いは符号分割を行う。ＳＤＭＡでは、空間の非相関性を利用して多重接続能力を取得する。
【０００４】
これらの従来の多重接続アクセス技術に対し、基地局と端末は単キャリア周波数或いは狭い帯域幅において信号の送信を行うため、比較的には、レート（rate）の低い音声サービスに適用する。高速データサービスに対し、単キャリアウェーブシステム或いは狭い帯域システムには、共に深刻な符号間干渉があるため、受信機のイコライザに対する要求が高い。従来の多キャリアウェーブが支持される多重接続技術に対し、受信機側にフィルターグループを利用して信号分離を行う必要がある。このような多重接続技術の実現は簡単であるが、周波数スペクトルの利用率が低いという欠点がある。
【０００５】
一方、高速データサービスが支持可能なＯＦＤＭＡ技術では、チャンネル帯域幅を、異なるサブチャンネルに分割し、複数のユーザが異なる帯域幅で信号を同時に送信することができる。ＯＦＤＭＡシステムでは、高速データの直/並変換（serial-to-parallel convertion）によって、信号間干渉を効率的に軽減することができ、受信機の複雑性を軽減することができる。また、ＯＦＤＭＡシステムでは、サブキャリアウェーブの間における直交性を利用し、サブチャンネルの周波数スペクトルが互いに重なることが可能になり、周波数スペクトルリソースを最大限まで利用する。しかし、単キャリアウェーブに比較すると、ＯＦＤＭＡシステムでは、高いピーク対平均比値（peak to average power ratio）がある。
【０００６】
無線通信技術の発展、特に多重接続技術の発展に従い、無線端末の種類及び支持できるサービスタイプも大きく発展している。各種類の携帯端末以外に、固定端末、及びノートパソコンにおけるアプリケーションも重要な一部である。基本的に、携帯端末では、体積とコストから、小さい電力消耗が必要となるため、例えばＳＣ−ＦＤＭＡ（単キャリアウェーブ周波数分割多重化）等の従来の単キャリアウェーブの多重接続技術を利用することができ、レートの低い音声サービスを支持する。一方、固定端末とノートパソコンでは、電源による電力供給或いは他の安定した電力供給デバイスを利用することができるため、ユーザに対してレートの高いデータサービスを提供することができるので、ＯＦＤＭＡの多重接続技術を利用することが可能になる。
【０００７】
従来の無線通信システムにおいて、基地局は、１つの種類の多重接続技術の端末のみを支持することができる。例えばＣＤＭＡ通信システムにおいて、基地局は、上行と下行と共にＣＤＭＡ多重接続技術を利用する端末のみを支持することができる。ＩＥＥＥ（電気電子学会：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅシステムにおいて、基地局は、上行と下行と共にＯＦＤＭＡ多重接続技術を利用する端末のみを支持することができる。
【０００８】
しかしながら、無線通信技術の発展に従い、各種の異なる多重接続技術に対し、同一のキャリア周波数に異なる多重接続技術が支持可能な通信システムは必要となっている。
【発明の概要】
【発明が解決しようとする課題】
【０００９】
本発明が解決しようとする技術課題は、多種の多重接続アクセス様態が支持される方法、システム及び無線フレーム構造を提供し、同一のキャリア周波数内に多種の多重接続アクセス技術を支持することができる。
【課題を解決するための手段】
【００１０】
前記の技術課題を解決するために、本発明は、基地局と端末とを含み、同一のアドレスにおいて１つのグループの基地局が設置され、同じグループの基地局において、同期、同周波数帯、且つ、上行或いは下行に、異なる多重接続技術が支持される基地局を少なくとも２つ含む、多種の多重接続アクセス様態が支持されるシステムであって、
前記同じグループにおける各基地局は、それぞれに、システム下行フレームにおけるそれぞれの下行エリアに下行信号の発信を行い、それぞれに、システム上行フレームにおけるそれぞれの上行エリアに上行信号の受信を行い、異なる基地局の上行と下行エリアは時間分割され且つ互いに重なっておらず、
前記端末は、自身の支持する下行多重接続技術に従い、これらのうちの１つの基地局にアクセスして、当該基地局のために割当られた下行エリアと上行エリアにおいて受信と発信を行うことに利用される。
【００１１】
さらに、前記システムは、前記同じグループの基地局はＧＰＳにより同期され、或いは同期ラインにより同期が実現されることを特徴としてもよい。
【００１２】
さらに、前記システムは、前記同じグループにおける各基地局の下行エリアと上行エリアはネゴシエーションにより確定され、前記同じグループの基地局は共同インターフェース（Common Interface）により前記ネゴシエーションを実現し、或いは、総括制御（Centralized Control）モジュールを設置し、当該総括制御モジュールのスケジューリングにより前記ネゴシエーションを実現することを特徴としてもよい。
【００１３】
さらに、前記システムは、前記同じグループの基地局は２つの基地局を含み、その第１基地局と第２基地局の支持する上行多重接続技術が異なり、支持する下行多重接続技術が同じ或いは異なることを特徴としてもよい。
【００１４】
さらに、前記システムは、１つの無線フレームにおいて区画されたエリアは、順番によって、第１基地局が下行信号を送信するための第１下行エリアと、第２基地局が下行信号を送信するための第２下行エリアと、端末が第１基地局へ上行信号を送信するための第１上行エリアと、端末が第２基地局へ上行信号を送信するための第２上行エリアであり、
或いは、第１基地局が下行信号を送信するための第１下行エリアと、第２基地局が下行信号を送信するための第２下行エリアと、端末が第２基地局へ上行信号を送信するための第１上行エリアと、端末が第１基地局へ上行信号を送信するための第２上行エリアであることを特徴としてもよい。
【００１５】
本発明はさらに、
（ａ）同一のアドレスにおいて１つのグループの基地局が設置され、同じグループの基地局において、同期、同周波数帯、且つ、上行或いは下行に、異なる多重接続技術が支持される基地局を少なくとも２つ含み、
（ｂ）前記同じグループにおける各基地局は、それぞれに、システム下行フレームにおけるそれぞれの下行エリアに下行信号の発信を行い、それぞれに、システム上行フレームにおけるそれぞれの上行エリアに上行信号の受信を行い、異なる基地局の上行と下行エリアは時間分割され且つ互いに重なっておらず、
（ｃ）前記端末は、自身の支持する下行多重接続技術に従い、これらのうちの１つの基地局にアクセスして、当該基地局のために割当られた下行エリアと上行エリアにおいて受信と発信を行うステップを含む多種の多重接続アクセス様態が支持される方法を提供する。
【００１６】
さらに、前記方法は、前記同じグループの基地局はＧＰＳにより同期され、或いは同期ラインにより同期が実現されることを特徴としてもよい。
【００１７】
さらに、前記方法は、前記同じグループにおける各基地局の下行エリアと上行エリアはネゴシエーションにより確定され、前記同じグループの基地局は共同インターフェースにより前記ネゴシエーションを実現し、或いは、総括制御モジュールを設置し、当該総括制御モジュールのスケジューリングにより前記ネゴシエーションを実現することを特徴としてもよい。
【００１８】
さらに、前記方法は、前記同じグループの基地局は２つの基地局を含み、その第１基地局と第２基地局の支持する上行多重接続技術が異なり、支持する下行多重接続技術が同じ或いは異なることを特徴としてもよい。
【００１９】
さらに、前記方法は、１つの無線フレームにおいて区画されたエリアは、順番によって、第１基地局が下行信号を送信するための第１下行エリアと、第２基地局が下行信号を送信するための第２下行エリアと、端末が第１基地局へ上行信号を送信するための第１上行エリアと、端末が第２基地局へ上行信号を送信するための第２上行エリアであり、
或いは、第１基地局が下行信号を送信するための第１下行エリアと、第２基地局が下行信号を送信するための第２下行エリアと、端末が第２基地局へ上行信号を送信するための第１上行エリアと、端末が第１基地局へ上行信号を送信するための第２上行エリアであることを特徴としてもよい。
【００２０】
本発明はさらに、上行フレームと下行フレームを含む、多種の多重接続アクセス様態が支持される無線フレーム構造を提供し、前記上行フレームは、時間分割様態によりＮの上行多重接続エリアに分割され、前記下行フレームは、時間分割様態により対応なＮの下行多重接続エリアに区画され、上行多重接続エリア毎と対応な一つの下行多重接続エリアは、同一基地局に使用される。
【００２１】
さらに、前記無線フレーム構造は、前記無線フレームが２つの上行多重接続エリアと２つの下行多重接続エリアに分割され、当該無線フレームにおいて区画されたエリアは、順番によって、第１基地局が下行信号を送信するための第１下行エリアと、第２基地局が下行信号を送信するための第２下行エリアと、端末が第１基地局へ上行信号を送信するための第１上行エリアと、端末が第２基地局へ上行信号を送信するための第２上行エリアであり、
或いは、第１基地局が下行信号を送信するための第１下行エリアと、第２基地局が下行信号を送信するための第２下行エリアと、端末が第２基地局へ上行信号を送信するための第１上行エリアと、端末が第１基地局へ上行信号を送信するための第２上行エリアであることを特徴としてもよい。
【発明の効果】
【００２２】
本発明に係る方法及びシステムによれば、同一の通信システムは、同一のバンドに多種の多重接続技術を支持することができる。
【図面の簡単な説明】
【００２３】
【図１】本発明の実施例に利用されるシステムを実現する無線フレーム構造の模式図
【発明を実施するための形態】
【００２４】
以下は、図面と具体的な実施様態を合わせて、本発明についてさらに詳しく説明する。
【００２５】
本実施例では、２つ或いは複数の同期且つ同じアドレスの基地局は、同一の周波数帯に多種の多重接続アクセス様態を支持する。即ち、同一のアドレスにおいて１つのグループの基地局が設置され、同じグループの基地局において、同期、同周波数帯（図面において、観察の便利のため、異なる基地局が使用するフレーム構造を分けて表現したが、異なる周波数帯にあることを表していない）、且つ、上行或いは下行に、異なる多重接続技術が支持される基地局を少なくとも２つ含む。同じグループにおける各基地局は、ネゴシエーションされた下行エリアに下行フレームの発信を行い、ネゴシエーションされた上行エリアに上行フレームの受信を行い、且つ、各エリアは互いに重なっておらず、端末は、自身の支持する下行多重連続技術に従い、これらの１つの基地局にアクセスして、当該基地局のために割当られた下行エリアと上行エリアにおいて受信と発信を行う。
【００２６】
本実施例に使用されるシステムにおいて、第１基地局ＢＳ＃１と第２基地局ＢＳ＃２を含むとする。第１基地局と第２基地局とは、それぞれに、異なる下行多重接続技術と異なる上行多重接続技術とを支持する。例えば、第１基地局は、下行ＯＦＤＭＡ多重接続技術と上行ＯＦＤＭＡ多重接続技術とを支持し、第２基地局は、下行ＳＣ−ＦＤＭＡ多重接続技術と上行ＳＣ−ＦＤＭＡ多重接続技術とを支持する。しかし、本発明では、この基地局毎の支持する上行多重接続技術と下行多重接続技術とは同じであることが必要せず、システム全体は少なくとも２つの上行多重接続技術或いは少なくとも２つの下行多重接続技術を支持することができれば、同一のキャリア周波数に、異なる多重接続技術を支持することを実現できる。
【００２７】
システムにおいて、さらに端末＃１と端末＃２とを含み、端末＃１は、下行ＯＦＤＭＡ多重接続技術と上行ＯＦＤＭＡ多重接続技術とを支持し、端末＃２は、下行ＳＣ−ＦＤＭＡ多重接続技術と上行ＳＣ−ＦＤＭＡ多重接続技術とを支持するようにする。
【００２８】
本実施例に利用されるフレーム構造は、図１に示すように、下行フレームと上行フレームとを含む。下行フレームと上行フレームとは、それぞれに時間分割の方法により、２つの下行多重接続エリア（ＤＬ  Ｚｏｎｅ）と２つの上行多重接続エリア（ＵＬ  Ｚｏｎｅ）に分割され、下行多重接続エリア毎に１種の下行多重接続技術が支持され、上行多重接続エリア毎に１種の上行多重接続技術が支持される。下行フレームにおける下行多重接続エリア毎の相対位置は変化可能であり、上行フレームにおける上行多重接続エリア毎の相対位置も変化可能である。
【００２９】
本実施例において、同一の周波数帯の基地局１と基地局２によりネゴシエーションされた１つの周期におけるエリアは、順番によって、第１基地局が送信した下行フレームのための第１下行エリア（ＤＬ  Ｚｏｎｅ  ＃１）と、第２基地局が送信した下行フレームのための第２下行エリア（ＤＬ  Ｚｏｎｅ  ＃２）と、端末が第１基地局へ上行フレームを送信するための第１上行エリア（ＵＬ  Ｚｏｎｅ  ＃１）と、端末が第２基地局へ上行フレームを送信するための第２上行エリア（ＵＬ  Ｚｏｎｅ  ＃２）である。下行多重接続エリア＃１と下行多重接続エリア＃２とは、それぞれにＯＦＤＭＡ多重接続技術とＳＣ−ＦＤＭＡ多重接続技術とを支持し、上行多重接続エリア＃１と上行多重接続エリア＃２とは、それぞれにＯＦＤＭＡ多重接続技術とＳＣ−ＦＤＭＡ多重接続技術とを支持する。
【００３０】
第１基地局と第２基地局とは、まず、クロック同期を行い、第１基地局と第２基地局との同期化方法は、ＧＰＳにによる同期化、或いは同期ラインによる同期化であってもよい。この後、第１基地局と第２基地局とのそれぞれは、ネゴシエーションされた下行多重接続エリアに発信を行い、ネゴシエーションされた上行多重接続エリアに受信を行う。即ち、第１基地局は、まず、下行多重接続エリア＃１に下行信号を送信し、完成してから、第２基地局が下行多重接続エリア＃２に下行信号を送信し、この後、第１基地局と第２基地局とは、１つの保護間隔において共に信号を送信せず、この後、第１基地局が上行多重接続エリア＃１に上行信号を受信し、完成してから、第２基地局が上行多重接続エリア＃２に上行信号を受信して、信号の送受信プロセス全体を完成する。なお、第１基地局と第２基地局との下行エリア或いは/及び上行エリアは、隣接してもよく、間隔をあけてもよい。
【００３１】
本実施例において、システム無線フレームにおける上行フレームと下行フレームとの長さが調整可能であり、上行フレームと下行フレームとにおいて２つの基地局の使用するエリアも調整可能であり、ただし、互いに重なっていないことを確保する必要がある。第１基地局と第２基地局とのネゴシエーションは、基地局の間の共同インターフェースにより行われてもよく、総括コントローラにより第１基地局と第２基地局との発信と受信に対して総括にスケジューリングをしてもよい。ただし、本発明では、プロトコルに基づき変更せず、或いはリアルタイム調整を行わなくてもよい。
【００３２】
本実施例において、１つの基地局に対し、その信号の発信と受信の方法は、上行と下行のそれぞれに１種の多重接続アクセス技術のみが支持される一般的な基地局と同じであり、ただし、２つの基地局が１つの上行フレームと下行フレームの時間を共用するため、下行送信と上行受信の時間がある程度短縮されるだけである。なお、端末側の処理を変更する必要はない。
【００３３】
以下は、送信と受信のプロセスについて具体的に説明する。
【００３４】
図１に示すように、第１種の多重接続技術ＯＦＤＭＡが支持される第１基地局は、下行フレームの第１多重接続エリアの先頭でプリアンブル（ｐｒｅａｍｂｌｅ）を送信してから、第１種の多重接続技術が支持される端末に下行制御情報とデータを送信し、第２種の多重接続技術ＳＣ−ＦＤＭＡが支持される第２基地局は、下行フレームの第２多重接続エリアのタイムスロット中で、第２種の多重接続技術が支持される端末に制御情報とデータを送信する。
【００３５】
図１に示すように、ＯＦＤＭＡ多重接続技術が支持される下行多重接続エリア＃１において、第１基地局は、下行制御メッセージと上行制御メッセージとにより、下行多重接続エリア＃１と上行多重接続エリア＃１の位置情報とリソース割当情報をそれぞれに端末へ送信する。ここで、下行制御メッセージは、ＦＣＨ（フレーム制御ヘッド、Ｆｒａｍｅ  Ｃｏｎｔｒｏｌ  Ｈｅａｄ）とＤＬ−ＭＡＰ（下行マッピング）メッセージとを含み、また、ＤＣＤ（下行チャンネル説明）メッセージを含んでもよく、上行制御メッセージは、ＵＬ−ＭＡＰメッセージを含み、また、ＵＣＤ（上行チャンネル説明）メッセージ、或いは、他のブロードキャスト制御メッセージを含んでもよく（図面にはＤＣＤとＵＣＤを示していない）。
【００３６】
ＤＬ−ＭＡＰにおける下行多重接続エリアのリソース割当情報は、下行多重接続エリアにおける全てのバースト（Ｂｕｒｓｔ）の位置や、バーストのターゲット端末、バーストのサイズ、送信に利用された変調コーディング（modulation and encoding）様態などの１つ或いは任意の組合を含む。例えば、バースト＃１を端末＃１に割当ることを下行制御メッセージに指示してもよく、他のバーストも当該システムの端末に指示されるものであり、前記バーストはこれ以上の数であってもよい。上行制御情報は、ＵＬ−ＭＡＰ（上行マッピング）メッセージを含み、ＵＬ−ＭＡＰメッセージにおける上行多重接続エリアの位置情報は、上行フレームにおける当該上行多重接続エリアの位置及び/或いはサイズ（選択可能）を指示し、上行多重接続エリアのリソース割当情報は、上行多重接続エリアにおける全てのバーストの位置や、どの端末に割り当てられるか、バーストのサイズ、利用された変調コーディング様態などの１つ或いは任意の組合を含む。例えば、上行制御メッセージは、上行バーストを端末＃１の上行送信に利用することを指示してもよい。ＵＬ−ＭＡＰには、初期アクセスエリアの割当情報を含んでもよい。また、上行多重接続エリア＃１の位置及び/或いはサイズを変更する必要がある場合、基地局は、下行多重接続エリア＃１の上行制御メッセージにおいて、位置変更情報を送信する。
【００３７】
図１に示すように、第２基地局は、ＳＣ−ＦＤＭＡ多重接続技術が支持される下行多重接続エリア＃２において、ダウンリンクタイムスロット（ＤＬ  Ｓｌｏｔ）に下行制御メッセージと上行制御メッセージを送信して、下行多重接続エリア＃２と上行多重接続エリア＃２との位置情報及びリソース割当情報を分けて送信する。前記上行多重接続エリアのリソース割当情報は、上行多重接続エリアにおけるバースト或いはタイムスロットの割当情報を含み、バースト或いはタイムスロット毎の位置や、当該上行バースト或いはタイムスロットのターゲットアドレス（当該バースト/タイムスロットに上行送信できる端末を指示する）、バースト或いはタイムスロットのサイズやタイプ（当該バースト或いはタイムスロットにどのデータを搬送するかを指示する）、利用された変調コーディング方法などのパラメーターの１つ或いは任意の組合を含む。例えば、上行制御メッセージは、上行多重接続エリア＃２における上行タイムスロット（ＵＬ  Ｓｌｏｔ）を端末＃２の上行送信に利用することを指示してもよい。下行多重接続エリア＃２の上行制御メッセージにおいて、当該上行多重接続技術が支持される端末が初期ネットワークアクセスを行うために、初期アクセスチャンネル及びデータチャンネルの位置を割当してもよく、下行多重接続エリア＃２の上行制御メッセージにおいて、多重接続エリアの位置変更の情報、例えば上行多重接続エリア＃２の新たな位置をさらに含んでもよい。
【００３８】
上行フレームにおいて、第１種の多重接続技術が支持される端末と第２種の多重接続技術が支持される端末はそれぞれに、受信された制御情報に基づき、第１上行多重接続エリアと第２上行多重接続エリアにおいて、第１基地局と第２基地局にデータを送信する。
【００３９】
端末側の処理について、ＳＣ−ＦＤＭＡ多重接続技術或いはＯＦＤＭＡ多重接続技術が支持される従来の端末とまったく同じであるので、ここでは説明しない。
【００４０】
以上説明したのは本発明の好ましい実施例のみであり、本発明を制限するものではない。本分野の当業者ならば、本発明には幾つかの変更と変形がある。本発明の要旨を逸脱しない範囲で、いずれかの変更や、同じものの取替、改善などは本発明における請求の範囲に属すべきである。
【００４１】
例えば、図１におけるエリアの区画は、上行フレームにおいて、第２基地局が使用する上行多重接続エリア＃２を、第１基地局が使用する上行多重接続エリア＃１の前に配列してもよい。
【産業上の利用可能性】
【００４２】
本発明は、無線通信分野に適用可能であり、異なる多重接続技術を同一のキャリア周波数で支持することを実現する。
【図１】
2010524307.tif 000003
【国際調査報告】
2010524307.tif 000004
2010524307.tif 000005
2010524307.tif 000006
2010524307.tif 000007